(57)【要約】      （修正有）【課題】分解を簡単に行い、掃除、メンテナンスまたは部品交換を行うことが可能なラチェットレンチを提供する。【解決手段】本体２０、ラチェット３０、制動機構４０、キャップ５０および固定ユニット６０を備える。本体２０は、従来のラチェットレンチの本体とはあまり変わらず、一端に第一表面２１、第二表面と、第一表面２１および第二表面を貫通する貫通孔２３と、貫通孔２３の壁面が陥没して形成した格納溝２４および溝部２５とを有する。ラチェット３０は貫通孔２３内に装着されている。制動機構４０は格納溝２４内に装着されている。【選択図】図２
0003185993.tif 000002
【実用新案登録請求の範囲】
【請求項１】
本体、ラチェット、キャップおよび固定ユニットを備え、
前記本体は、第一表面、第二表面、前記第一表面および前記第二表面を貫通する貫通孔、当該貫通孔の壁面が陥没して形成した溝部を有する、
前記ラチェットは、前記本体の前記貫通孔内に装着されており、
前記キャップは、前記本体の前記貫通孔の前記第一表面に位置する開口部に配置されており、前記ラチェットが前記貫通孔から突出することを抑制し、遮断部、当該遮断部から突出して形成されている位置制限部、および、固定部を有し、前記遮断部が前記貫通孔に位置し、前記位置制限部が前記本体の前記溝部内に設けられており、
前記固定部は、前記固定ユニットによって前記本体に固定されていることを特徴とするラチェットレンチ。
【請求項２】
前記キャップの前記位置制限部は、二つの突起部を有し、
前記突起部の中心と前記キャップの前記遮断部の中心との連結線と、前記遮断部の中心と前記固定部の中心との連結線との間の角度が鈍角θであることを特徴とする請求項１に記載のラチェットレンチ。
【請求項３】
二つの前記突起部の中心と前記キャップの前記遮断部の中心との二つの連結線は、相互に垂直となることを特徴とする請求項２に記載のラチェットレンチ。
【請求項４】
前記キャップの前記位置制限部は、一つの突起部を有し、
当該突起部の中心、前記キャップの前記遮断部の中心、および、前記固定部の中心が一つの仮想直線上に位置することを特徴とする請求項１に記載のラチェットレンチ。
【請求項５】
前記本体は、ねじ孔を有し、
前記キャップの固定部は孔を有し、
前記固定ユニットはねじを有し、
前記ねじは、前記キャップの前記孔に差し込まれ、前記本体の前記ねじ孔に締め付けられていることを特徴とする請求項１から請求項４のうちのいずれか一項に記載のラチェットレンチ。
【請求項６】
前記本体は、前記第一表面が陥没して形成されている陥没溝を有し、
前記陥没溝は、前記貫通孔に繋っており、
前記ねじ孔は前記陥没溝内に位置し、
前記キャップの前記固定部は前記陥没溝内に配置されていることを特徴とする請求項５に記載のラチェットレンチ。
【請求項７】
前記キャップの前記固定部は、当接面を有し、
前記固定ユニットは、受動ユニットおよび弾性ユニットを有し、
前記受動ユニットは、一端が前記固定部の前記当接面に当接し、
前記弾性ユニットは、一端が前記受動ユニットに当接し、他端が前記本体に当接していることを特徴とする請求項１から請求項４のうちのいずれか一項に記載のラチェットレンチ。
【請求項８】
前記キャップの前記固定部は、前記当接面から伸びて形成されている当接部を有し、階段状を呈し、
前記受動ユニットは、相互に連結されている上受動部および下受動部を有し、階段状を呈し、
前記受動ユニットの前記上受動部は、前記固定部の前記当接部に位置し、かつ前記当接面に当接し、
前記受動ユニットの前記下受動部は、前記固定部の前記当接部に当接し、前記弾性ユニットによって強制的に移動することを特徴とする請求項７に記載のラチェットレンチ。
【請求項９】
前記本体は、前記第一表面が陥没して形成されている陥没溝、および、遮蔽部を有し、
前記陥没溝は、前記貫通孔に繋っており、前記第一表面に位置する密閉状態の格納部を有し、
前記遮蔽部は、前記陥没溝の一部を遮蔽し、
前記キャップの前記固定部および前記固定ユニットは、前記陥没溝内に配置しており、
前記弾性ユニットは前記格納部内に装着されていることを特徴とする請求項８に記載のラチェットレンチ。
【請求項１０】
前記本体は、前記第一表面が陥没して形成した陥没溝、および、遮蔽部を有し、
前記陥没溝は、前記貫通孔に繋っており、前記第一表面に位置する密閉状態の格納部を有し、
前記遮蔽部は前記陥没溝の一部を遮蔽し、
前記キャップの前記固定部および前記固定ユニットは、前記陥没溝内に配置されており、
前記弾性ユニットは前記格納部内に装着されていることを特徴とする請求項７に記載のラチェットレンチ。
【請求項１１】
前記本体は、前記第一表面が陥没して形成されている陥没溝、および、遮蔽部を有し、
前記陥没溝は前記貫通孔に繋っており、
前記キャップの前記固定部は前記陥没溝内に配置されていることを特徴とする請求項１から請求項４のうちのいずれか一項に記載のラチェットレンチ。
【考案の詳細な説明】
【技術分野】
【０００１】
本考案は、ラチェットレンチに関し、詳しくは分解可能なラチェットレンチに関するものである。
【背景技術】
【０００２】
特許文献１に開示されているラチェットレンチは、レンチ本体と、レンチ本体の貫通孔内に回転できるように配置されたラチェットと、ラチェットがレンチ本体から逸脱することを防止するための環状キャップと、レンチ本体の格納室に配置された制動ユニットおよび弾性ユニットを備える。制動ユニットはラチェットと噛み合うことでラチェットを一定方向、例えば時計回り方向または逆時計回り方向にのみ回転させるようにする。
【０００３】
上述したラチェットレンチにおいて、キャップは外周面が陥没して形成した環状溝を有する。レンチ本体は貫通孔の壁面が陥没して形成した環状溝を有する。キャップは二つの環状溝内に同時に配置されたＣ字型金具によってレンチ本体に固定されている。ラチェットレンチの組み立てが完了した時、Ｃ字型金具がレンチ本体の内部に埋められており、一般のユーザーが環状キャップを取り外すことが難しい。
【０００４】
従って、ラチェットレンチの格納室に異物が入り込んでラチェットが円滑に回転できなくなるか、部品が損壊して正常動作を維持することができなくなる時にでも、ユーザーは自らラチェットレンチを分解し、異物を除去し、清掃、メンテナンスまたは部品交換を行うことができなくなる。言い換えれば、従来のラチェットレンチは使用に不便であって改善の余地がある。
【先行技術文献】
【特許文献】
【０００５】
【特許文献１】台湾実用新案Ｍ３１１５３６号明細書
【考案の概要】
【考案が解決しようとする課題】
【０００６】
本考案は、上述した問題に鑑みてなされたものであり、分解を簡単に行い、掃除、メンテナンスまたは部品交換を行うことが可能なラチェットレンチを提供することを目的とする。
【課題を解決するための手段】
【０００７】
上述の目的を達成するために、本考案による分解が可能なラチェットレンチは、本体、ラチェット、キャップおよび固定ユニットを備える。本体は、第一表面、第二表面、第一表面および第二表面を貫通する貫通孔、貫通孔の壁面が陥没して形成した溝部を有する。ラチェットは本体の貫通孔内に装着されている。キャップは本体の貫通孔の第一表面に位置する開口部に配置されており、ラチェットが貫通孔から突出することを抑制する。キャップは遮断部、遮断部から突出して形成されている位置制限部、および、固定部を有する。遮断部は貫通孔に位置している。位置制限部は本体の溝部内に設けられている。固定部は固定ユニットによって本体に固定されている。
【０００８】
位置制限部は溝部によって限定され、固定部は本体に固定されているため、キャップがしっかり本体に装着され、ラチェットが本体から逸脱することを防止することができる。ユーザーは、固定ユニットを簡単に取り外し、ラチェットレンチを分解し、ラチェットレンチに対して、清掃、メンテナンスまたは部品交換を行うことができる。
【図面の簡単な説明】
【０００９】
【図１】本考案の第1実施形態によるラチェットレンチを示す斜視図である。
【図２】本考案の第1実施形態によるラチェットレンチを示す分解斜視図である。
【図３】本考案の第1実施形態によるラチェットレンチを示す平面図である。
【図４】図３の４−４線断面図である。
【図５】本考案の第２実施形態によるラチェットレンチを示す分解斜視図である。
【図６】本考案の第２実施形態によるラチェットレンチを示す平面図である。
【図７】図６の７−７線断面図である。
【図８】図６の７−７断面図である。
【図９】本考案の第３実施形態によるラチェットレンチを示す分解斜視図である。
【図１０】本考案の第３実施形態によるラチェットレンチを示す平面図である。
【図１１】本考案の第４実施形態によるラチェットレンチを示す斜視図である。
【図１２】本考案の第４実施形態によるラチェットレンチを示す断面図である。
【考案を実施するための形態】
【００１０】
本考案の実施形態によるラチェットレンチの詳細な構造、特徴、組み立て方法および使用方法を図面に基づいて説明する。一方、下記の実施形態およびその詳細な説明は、本考案を説明するための一例に過ぎず本考案の請求範囲を限定するものではない。
（第１実施形態）
図１から図４に示すように、本考案の第１実施形態によるラチェットレンチ１１は、本体２０、ラチェット３０、制動機構４０、キャップ５０および固定ユニット６０を備える。
【００１１】
本体２０は、従来のラチェットレンチの本体とはあまり変わらず、一端に第一表面２１、第二表面２２と、第一表面２１および第二表面２２を貫通する貫通孔２３と、貫通孔２３の壁面が陥没して形成した格納溝２４および溝部２５とを有する。貫通孔２３は第一表面２１に位置する開口部２３１と、第二表面２２に位置する開口部２３２と、壁面上の開口部２３２に近い階段部から形成された位置制限部２６とを有する。従来のものとの違いは次の通りである。本体２０はさらに第一表面２１を陥没させて形成した陥没溝２７と、陥没溝２７内に配置されたねじ孔２８とを有する。陥没溝２７は貫通孔２３に繋がる。
【００１２】
ラチェット３０および制動機構４０は、従来のものと同じである。ラチェット３０は貫通孔２３内に装着されている。制動機構４０は格納溝２４内に装着され、かつラチェット３０と噛み合う制動ユニット４２と、制動ユニット４２と本体２０との間に当接する弾性ユニット４４とを有する。制動機構４０はラチェット３０を単一方向にのみ回転させるように限定することができる。
【００１３】
キャップ５０は、本体２０の貫通孔２３の開口部２３１に配置され、固定ユニット６０によって本体６０に固定されているため、ラチェット３０は本体２０の位置制限部２６およびキャップ５０によって貫通孔２３内に制限されている。
【００１４】
キャップ５０は、環状遮断部５２と、遮蔽部５２から突出して形成された位置制限部５４および固定部５６を有する。固定部５６は孔５６２を有する。固定ユニット６０はねじ６２を有する。キャップ５０および固定ユニット６０を本体２０に装着する際、まずキャップ５０の位置制限部５４を本体２０の溝部２５内に位置させる。続いて遮断部５２を貫通孔２３内に位置させることによってラチェット３０の一部分を遮断すると同時に、固定部５６を陥没溝２７内に位置させる。続いてキャップ５０の孔５６２にねじ６２を差し込み、かつ本体２０のねじ孔２８にねじ６２を締め付ける。
【００１５】
ねじ６２を取り外せば、ラチェットレンチ１１を簡単に分解し、ラチェットレンチ１１に清掃、メンテナンスまたは部品交換を行うことができる。
【００１６】
（第２実施形態）
図５から図７に示すように、本考案の第２実施形態によるラチェットレンチ１２と上述したラチェットレンチ１１との違いは、キャップ５０が本体２０の固定ユニット７０に固定されていることと、キャップ５０、本体２０および固定ユニットの組み合わせの状態にある。詳細な説明は次の通りである。
【００１７】
本体２０は、遮蔽部２９を有し、遮蔽部２９は陥没溝２７の一部分を遮蔽するため、陥没溝２７は第一表面２１に位置する密閉状態の格納部２７２を有する。
【００１８】
キャップ５０の固定部５６は、格納部２７２に向かう当接面５６４と、当接面５６４から伸びて形成された当接部５６６とを有するため、固定部５６は図７および図８に示すように階段状を呈する。
【００１９】
固定ユニット７０は、受動ユニット７２および弾性ユニット７４を有する。受動ユニット７２は相互に連結された上受動部７２２および下受動部７２４を有するため、図７および図８に示すように階段状を呈する。受動ユニット７２は上受動部７２２に位置する一端がキャップ５０の固定部５６の当接面５６４に当接する。上受動部７２２は固定部５６の当接部５６６に位置付けられる。図６に示すように、受動ユニット７２は下受動部７２４に位置する他端に突出した柱状突起部７２６を有する。弾性ユニット７４は柱状突起部７２６に嵌合され、かつ格納部２７２内に配置されている。弾性ユニット７４は一端が受動ユニット７２の下受動部７２４に当接し、他端が本体２０に当接する。下受動部７２４は当接部５６６に当接する。
【００２０】
固定ユニット７０は、キャップ５０の固定部５６を安定させ、本体２０に固定する。図８に示すように、受動ユニット７２を弾性ユニット７４の方向に強制的に移動させ、受動ユニット７２と固定部５６とを分離させ、上受動部７２２を固定部５６の当接部５６６から離せば、本体２０からキャップ５０を取り外し、ラチェットレンチ１２を分解することができる。
【００２１】
図３に示すように、上述した実施形態において、キャップ５０の位置制限部５４は二つの突起部５４２を有する。突起部５４２の中心とキャップ５０の遮断部５２の中心との連結線５４４と、遮断部５２の中心と固定部５６の中心との連結線５６８との間の角度は鈍角θである。二つの連結線５４４は相互に垂直であるため、キャップ５０は、相互に相当な距離を置く三点（二つの突起部５４２および固定部５６）によって限定され、本体２０に固定されている。
【００２２】
（第３実施形態）
上述したラチェットレンチ１１、１２のキャップ５０の位置制限部５４は別の形であってもよい。図９および図１０に示すように、本考案の第３実施形態によるラチェットレンチ１３において、キャップ５０の位置制限部５４は一つの比較的広い突起部５４２のみを有する。図１０に示すように、突起部５４２の中心、キャップ５０の遮断部５２の中心および固定部５６の中心が繋がれば仮想直線５８になる。
【００２３】
（第４実施形態）
上述したラチェットレンチ１１、１２、１３は単一方向ラチェットレンチである。つまりラチェット３０は単一方向にのみ回転するが、実際に上述の実施形態により提示されたラチェットレンチは分解が簡単な構造が双方向ラチェットレンチに適用できる。例えば、図１１および図１２に示すように、本考案の第４実施形態によるラチェットレンチ１４の特徴は次の通りである。
【００２４】
ラチェットレンチ１４において、制動機構８０は制動ユニット８２、弾性ユニット８４、ステンレス珠８６および切替ユニット８８を有する。切替ユニット８８はラチェット３０の回転方向の切替に用いられるため、ラチェット３０は時計回りまたは逆時計回りに回転できる。この部分は従来の技術であるため、詳細な説明を省略する。キャップ５０は本体２０の第一表面２１に装着されている。切替ユニット８８は本体２０の第二表面２２の陥没部２２２に装着されている。言い換えれば、キャップ５０と切替ユニット８８とを同じ側に位置させなければ、キャップ５０の固定部５６および切替ユニット８８の妨害を避け、ラチェットレンチ１４のラチェット３０を双方向に回転させ、キャップ５０を取り外すことができる。
【００２５】
以上、本考案は、上記実施形態になんら限定されるものではなく、考案の趣旨を逸脱しない範囲において種々の形態で実施可能である。
【符号の説明】
【００２６】
１１：ラチェットレンチ、  
１２：ラチェットレンチ、  
１３：ラチェットレンチ、  
２０：本体、  
２１：第一表面、  
２２：第二表面、  
２３：貫通孔、  
２３１：開口部、  
２３２：開口部、  
２４：格納溝、  
２５：溝部、  
２６：位置制限部、  
２７：陥没溝、  
２７２：格納部、  
２８：ねじ孔、  
２９：遮蔽部、  
３０：ラチェット、  
４０：制動機構、  
４２：制動ユニット、  
４４：弾性ユニット、  
５０：キャップ、  
５２：遮断部、  
５４：位置制限部、
５４２：突起部、  
５４４：連結線、  
５６：固定部、  
５６２：孔、  
５６４：当接面、  
５６６：当接部、  
５６８：連結線、  
θ：鈍角、  
５８：仮想直線、  
６０：固定ユニット、  
６２：ねじ、  
７０：固定ユニット、  
７２：受動ユニット、  
７２２：上受動部、  
７２４：下受動部、  
７６２：柱状突起部、  
７４：弾性ユニット、  
８０：制動機構、  
８２：制動ユニット、  
８４：弾性ユニット、  
８６：ステンレス球、  
８８：切替ユニット。
【図１】
0003185993.tif 000003
【図２】
0003185993.tif 000004
【図３】
0003185993.tif 000005
【図４】
0003185993.tif 000006
【図５】
0003185993.tif 000007
【図６】
0003185993.tif 000008
【図７】
0003185993.tif 000009
【図８】
0003185993.tif 000010
【図９】
0003185993.tif 000011
【図１０】
0003185993.tif 000012
【図１１】
0003185993.tif 000013
【図１２】
0003185993.tif 000014